(57)【要約】【課題】簡易な構造によって、確実に地中連壁から地下壁への振動の伝搬を防止することができる防振地下壁の型枠システムおよびこれに用いられる防振地下壁用セパレータを提供する。【解決手段】地中連壁２０に添って防振地下壁を構築するための防振地下壁の型枠システムであって、地中連壁２０に添って配設される防振材２２と、一端部が防振材２２を貫通して地中連壁２０に設けられた取付部材２１に固定された支持部材２３、２４、２５、２６と、防振材２２に対して地下壁の厚さ寸法を隔てて配設されるとともに支持部材の他端部に着脱自在に取り付けられて防振材２２との間にコンクリート３１が打設される型枠３０とを備えてなり、支持部材の少なくとも取付部材２１との固定部分２４を、生分解性プラスチックである脂肪族ポリエステルによって構成したことを特徴とする。【選択図】  図１
2007100303.tif 000002
【特許請求の範囲】
【請求項１】
地中連壁に添って防振地下壁を構築するための防振地下壁の型枠システムであって、
上記地中連壁に添って配設される防振材と、一端部が上記防振材を貫通して上記地中連壁に設けられた取付部材に固定された支持部材と、上記防振材に対して上記地下壁の厚さ寸法を隔てて配設されるとともに上記支持部材の他端部に着脱自在に取り付けられて上記防振材との間にコンクリートが打設される型枠とを備えてなり、
上記支持部材の少なくとも上記取付部材との固定部分を、生分解性プラスチックである脂肪族ポリエステルによって構成したことを特徴とする防振地下壁の型枠システム。
【請求項２】
上記支持部材は、少なくとも上記型枠側の端部にねじ部が形成された棒状部材と、この棒状部材の上記一端部側に第１の連結手段を介して連結されるとともに少なくとも長手方向の一部分が生分解性プラスチックである脂肪族ポリエステルからなるセパレータと、このセパレータを上記取付部材に固定する第２の連結手段とを有してなることを特徴とする請求項１に記載の防振地下壁の型枠システム。
【請求項３】
上記脂肪族ポリエステルは、ポリ乳酸であることを特徴とする請求項１または２に記載の防振地下壁の型枠システム。
【請求項４】
請求項２または３のいずれかに記載の防振地下壁の型枠システムにおいて、上記長ナットと上記取付部材との間に介装される防振地下壁用セパレータであって、
少なくとも長手方向の一部分が、生分解性プラスチックである脂肪族ポリエステルからなることを特徴とする防振地下壁用セパレータ。
【請求項５】
上記脂肪族ポリエステルは、ポリ乳酸であることを特徴とする請求項４に記載の防振地下壁用セパレータ。
【発明の詳細な説明】
【技術分野】
【０００１】
本発明は、土留壁等の地中連壁に添って防振地下壁を構築するための防振地下壁の型枠システムおよびこれに用いられる防振地下壁用セパレータに関するものである。
【背景技術】
【０００２】
地下構造を有する建物を構築する際に、当該建物の地下室内における防音対策の一種として防振地下壁が知られている。この防振地下壁は、上記建物の地下壁と土留壁等の地下連壁との間に防振材を介装することにより、鉄道軌道等からの振動に起因する固体伝搬音が上記地下連壁から地下壁を介して上記建物内に騒音として伝わることを抑制するものである。
【０００３】
図４は、従来のこの種の防振地下壁を構築する際の型枠システムを示すものである。
この型枠システムは、地中鉄骨２を地中に埋設して構築した地下連壁１に添って所定の厚さ寸法を有するゴム製の防振材３を配設し、長ボルトからなるセパレータ４の一端部を、防振材２を貫通させて地中連壁鉄骨２に固定された長ナット５に螺合するとともに、セパレータ４の他端部に、防振材３に対して地下壁の厚さ寸法を隔てて配設された地下壁の室内側型枠６を取付ナット７等によって固定したものである。なお、図中符号８は、室内側型枠６を支持するための短管からなる横端太材である。
【０００４】
上記構成からなる型枠システムにおいては、セパレータ４によって支持された室内側型枠６と防振材３との間に、所定の配筋を行った後にコンクリートを打設し、当該コンクリートの硬化後に、取付ナット７を外して横端太材８および室内側型枠６を解体するとともに、セパレータ４の室内側への突出部分を切断除去することにより、上記防振地下壁を構築することができる。
【０００５】
ところで、上記型枠システムによって構築された防振地下壁によれば、地下壁と地中連壁１との間に防振材３が介装されているために、所定の防振効果を得ることができるものの、セパレータ４によって地中連壁１と上記地下壁とが直接連結されているために、地中連壁１に伝搬した鉄道軌道等からの振動が、セパレータ４を介して地下壁に伝わってしまう。この結果、防振地下壁としての適正な防振効果を発揮することができず、当該振動が建物の躯体内を伝わり、居室等に到達して固体伝搬音として悪影響を与えるという問題点があった。
【０００６】
そこで、このような問題点を解決するための型枠システムとして、例えば図５に示すように、地下連壁１に埋設された地中鉄骨２に取付ボルト９を立設し、この取付ボルト９の防振剤３から突出する先端部に、当該先端部を囲繞するゴム製の防振部１０ａを有する防振セパレータ１０の一端部を取り付けるとともに、この防振セパレータ１０の他端部にナット１２を介して上記セパレータ４の一端部を取り付けたものが開発されている。なお、同様の防振セパレータを用いた構造は、下記特許文献１においても開示されている。
【０００７】
このような防振セパレータ１０を用いた型枠システムによれば、地中連壁１に伝搬した鉄道軌道等からの振動が、防振材３および防振セパレータ１０の防振部１０ａにおいて遮断されることにより、セパレータ４へと伝わり難いため、当該振動が地下壁を介して建物の躯体内へと伝搬することを抑制することができるという利点がある。
【特許文献１】特開平７−３００９９４号公報
【発明の開示】
【発明が解決しようとする課題】
【０００８】
しかしながら、図５に示した型枠システムにあっても、防振セパレータ１０の防振部１０ａが薄いゴムによって形成されているために、防振効果に限度があるという問題点があった。
また、防振セパレータ１０は、耐荷重が小さいために、室内側型枠６を支持するためには、多数本の防振セパレータ１０およびセパレータ４を設置する必要があり、施工コストの高騰化を招くという問題点もあった。
【０００９】
本発明は、かかる事情に鑑みてなされたもので、簡易な構造によって、確実に地中連壁から地下壁への振動の伝搬を防止することができる防振地下壁の型枠システムおよびこれに用いられる防振地下壁用セパレータを提供することを課題とするものである。
【課題を解決するための手段】
【００１０】
上記課題を解決するために、請求項１に記載の発明は、地中連壁に添って地下壁を構築するための防振地下壁の型枠システムであって、上記地中連壁に添って配設される防振材と、一端部が上記防振材を貫通して上記地中連壁に設けられた取付部材に固定された支持部材と、上記防振材に対して上記地下壁の厚さ寸法を隔てて配設されるとともに上記支持部材の他端部に着脱自在に取り付けられて上記防振材との間にコンクリートが打設される型枠とを備えてなり、上記支持部材の少なくとも上記取付部材との固定部分を、生分解性プラスチックである脂肪族ポリエステルによって構成したことを特徴とするものである。
【００１１】
また、請求項２に記載の発明は、請求項１に記載の支持部材が、少なくとも上記型枠側の端部にねじ部が形成された棒状部材と、この棒状部材の上記一端部側に第１の連結手段を介して連結されるとともに少なくとも長手方向の一部分が生分解性プラスチックである脂肪族ポリエステルからなるセパレータと、このセパレータを上記取付部材に固定する第２の連結手段とを有してなることを特徴とするものである。
【００１２】
さらに、請求項３に記載の発明は、請求項１または２に記載の脂肪族ポリエステルが、ポリ乳酸であることを特徴とするものである。
【００１３】
次いで、請求項４に記載の発明は、上記請求項２または３に記載の防振地下壁の型枠システムにおいて、上記長ナットと上記取付部材との間に介装される防振地下壁用セパレータであって、少なくとも長手方向の一部分が、生分解性プラスチックである脂肪族ポリエステルからなることを特徴とするものである。
【００１４】
また、請求項５に記載の発明は、請求項４に記載の脂肪族ポリエステルが、ポリ乳酸であることを特徴とするものである。
【００１５】
なお、請求項１〜５のいずれかに記載の発明において、上記脂肪族ポリエステルとは、ポリヒドロキシアルカノエート、ポリカプロラクトン、ポリブチレンサクシネート、ポリエチレンサクシネート、ポリグリコール酸、ポリ乳酸等のホモポリエステルもしくは共重合ポリエステルまたは異なるポリエステルのブレンド体などの生分解性プラスチックであって、上記支持部材の一部または全部あるいは上記セパレータとして所望の機械的強度を有するものをいう。
【発明の効果】
【００１６】
請求項１〜５にいずれかに記載の発明によれば、型枠と防振材との間にコンクリートを打設すると、生分解性プラスチックである脂肪族ポリエステルが、上記コンクリート中に含まれる水分およびその硬化時に生じる熱およびアルカリにより加水分解（分子量の低減化）されるとともに、さらにコンクリート中に含まれる微生物により、経時的に水と二酸化炭素とに生分解されて、最終的に消滅する。
【００１７】
この結果、上記コンクリートの硬化後においては、地中連壁に設けられた取付部材と、型枠を支持していた支持部材との間に間隙が形成されるために、地中連壁に伝搬した鉄道軌道等からの振動が、防振材および上記間隙によって確実に遮断されることになる。
したがって、簡易な構造によって、容易かつ確実に地中連壁から地下壁への振動の伝搬を防止することができる。
【００１８】
この際に、請求項２〜５に記載の発明のように、上記脂肪族ポリエステルによってセパレータを製作し、支持部材の一部を構成する棒状部材と上記取付部材との間に介装するようにすれば、支持部材の全体を上記脂肪族ポリエステルによって構成する場合と比較して、より機械的強度の小さい脂肪族ポリエステルを使用することができ、素材選択の自由度が増すという効果が得られるとともに、地中連壁側から建物室内側への止水にも有効となる。
【００１９】
なお、上記脂肪族ポリエステルとしては、請求項３または５に記載の発明のように、ポリ乳酸が好適である。
このポリ乳酸は、トウモロコシやジャガイモ等に含まれるデンプンを発酵して得られる乳酸から作られた熱可塑性を有する生分解性プラスチックである。そして、上記ポリ乳酸は、常温で最も高い硬度を有するものであることから、上記支持部材自体あるいはその一部を構成するセパレータとして、所望の機械的強度を得ることができる。
【００２０】
また、上記型枠システムにおいて使用される生分解性プラスチックは、コンクリートの硬化初期においては型枠支持のための所定の機械的強度を保持し、当該コンクリートが硬化して所望の強度を得た後には分解して消滅することが要請される。
ところが、一般的な生分解性プラスチックは、その分解性が主として土壌等に生息する微生物（分解菌）の量に依存し、かつその分解に直線性が無いために、上記要請に適合させることが難しいという欠点がある。
【００２１】
これに対して、上記ポリ乳酸は、その分解の初期段階においては、６０℃近辺の温度および水の存在によって、加水分解（分子量の低減化）が早期に進行し、その後微生物の作用を受けて生分解して消滅するとともに、その分解に直線性を有することが知られている。
【００２２】
図３は、上記ポリ乳酸のコンポスト中での分解曲線を示すもので、横軸が日数であり、縦軸が分解率を％で示したものである。同図に見られるように、上記ポリ乳酸は、符号Ａで示す活性コンポスト（活発に微生物が活動している最中の生コンポスト）中、符号Ｂで示す養生コンポスト（発酵が進んで安定化した完熟堆肥の状態のコンポスト）中および符号Ｃで示す新聞紙／養生コンポスト中でのいずれの分解曲線においても、直線的な分解性を有することが判る。加えて、上記分解速度を制御するための可塑剤も開発されつつある。
【００２３】
したがって、上記ポリ乳酸によれば、コンクリート打設時においては、所望の機械的強度を得ることができるとともに、さらにコンクリート打設後は、当該コンクリート中の水分および硬化時に発生する熱およびアルカリによって、上記コンクリートの硬化と並行して、加水分解および生分解させて消滅させることができる。
【発明を実施するための最良の形態】
【００２４】
図１および図２は、本発明に係る防振地下壁の型枠システムおよび防振地下壁用セパレータの一実施形態を示すもので、図中符号２０が地中連壁である。
図１に示すように、この地中連壁２０には、所定間隔をおいて地中連壁鉄骨（取付部材）２１が設けられるとともに、これら地中連壁鉄骨２１上に地中連壁２０を覆うようにして板状の防振材２２が設けられている。そして、地中連壁鉄骨２１には、長ナット（第１の連結手段）２３が接合されるとともに、この長ナット２３にセパレータ（固定部分）２４が取り付けられている。
【００２５】
このセパレータ２４は、全体がポリ乳酸によって形成されるとともに、その全長にわたってねじが螺設されたもので、一端側のねじ部を長ナット２３に螺合させることにより、この長ナット２３に固定されている。また、このセパレータ２４は、防振材２２を貫通して当該防振材２２から突出する長さ寸法に形成されており、その他端側に長ナット（第２の連結手段）２５が螺合されている。
【００２６】
そして、この長ナット２５に、全長にわたってねじが螺設された鋼製の長ボルト（棒状部材）２６の一端部が螺合されている。
この長ボルト２６は、構築すべき地下壁の厚さ寸法よりも幾分長い寸法に形成されており、その他端部に保持金物２７、取付ナット２８および短管からなる横端太材２９により室内側型枠（型枠）３０が着脱自在に取り付けられている。
【００２７】
そして、これら長ボルト２６、長ナット２３、２５、セパレータ２４、取付ナット２８等により、室内側型枠３０の支持部材が構成されている。
【００２８】
以上の構成からなるセパレータ２４およびこれを用いた型枠システムにおいては、図２に示すように、長ボルト２６およびセパレータ２４等からなる支持部材によって支持された室内側型枠３０と防振材２２との間に、所定の配筋を行った後にコンクリート３１を打設し、このコンクリート３１の硬化後に、取付ナット２８を外して保持金物２７、横端太材２９および室内側型枠３０を解体するとともに、長ボルト２６の室内側への突出部分を切断除去することにより、防振地下壁が構築される。
【００２９】
この際に、上記コンクリート３１中の水分およびその硬化時に生じる熱およびアルカリにより、ポリ乳酸によって形成されたセパレータ２４が、経時的に加水分解するとともに水中に含まれる微生物によって生分解されて水と二酸化炭素とに分解し、最終的に消滅する。
【００３０】
これにより、コンクリート３１の硬化後においては、地中連壁２０に設けられた地中連壁鉄骨２１と、コンクリート３１中に残存している長ボルト２６との間に間隙Ｓが形成される。この結果、地中連壁２０に伝搬した鉄道軌道等からの振動が、防振材２２および間隙Ｓによって遮断されるために、確実に地中連壁２０から地下壁３１への振動の伝搬を防止することができる。
【００３１】
なお、上記実施の形態においては、長ボルト２６と地中連壁鉄骨２１との間に、ポリ乳酸によって形成されたセパレータ２４を介装した場合についてのみ説明したが、これに限定されるものではなく、セパレータ２４として、他の生分解性プラスチックである脂肪族ポリエステルを使用することもできる。
【００３２】
また、所定の機械的強度が得られる限りにおいて、長ボルト２６の全体あるいはその一部を、上記ポリ乳酸等の脂肪族ポリエステルによって形成することも可能である。
【図面の簡単な説明】
【００３３】
【図１】本発明に係る防振地下壁の型枠システムおよび防振地下壁用セパレータの一実施形態を示す要部の縦断面図である。
【図２】図１の型枠システムを用いて防振地下壁を構築した後の状態を示す縦断面図である。
【図３】ポリ乳酸の分解曲線を示すグラフである。
【図４】従来の防振地下壁の型枠システムを示す縦断面図である。
【図５】従来の他の防振地下壁の型枠システムを示す縦断面図である。
【符号の説明】
【００３４】
２０  地中連壁
２１  地中連壁鉄骨（取付部材）
２２  防振材
２３  長ナット（第１の連結手段）
２４  セパレータ（固定部分）
２５  長ナット（第２の連結手段）
２６  長ボルト（棒状部材）
３０  室内側型枠（型枠）
３１  コンクリート
【図１】
2007100303.tif 000003
【図２】
2007100303.tif 000004
【図３】
2007100303.tif 000005
【図４】
2007100303.tif 000006
【図５】
2007100303.tif 000007